(57)【特許請求の範囲】
【請求項１】
発光ダイオードと、表面に前記発光ダイオードが取り付けられた基板と、表面に前記基板が設けられた長尺状の台座とを有する発光部と、
前記基板の表面を覆う長尺状の半透明の筒管と、
前記発光ダイオードを点灯させるための回路部品を覆って前記筒管の長手方向における端部に配置されるとともに前記筒管に覆われた目隠し板と、
前記筒管の長手方向における端部に設けられた口金と、
を備え、
前記目隠し板は、前記台座の表面に対して傾斜した反射面を有するとともに、
前記筒管の管軸方向からみた前記反射面の形状がＤ字状の形状をしており、
前記反射面は、前記発光部から発光した光を前記筒管の外側へ向けて発光させることを特徴とする照明ランプ。
【請求項２】
前記反射面と前記筒管の内面との、前記台座の表面に垂直な方向における距離は、前記筒管の長手方向中央に近づくほど大きい請求項１記載の照明ランプ。
【請求項３】
前記反射面と前記筒管の内面との、前記台座の表面に垂直な方向における距離は、前記筒管の長手方向端部に近づくほど小さい請求項１又は２に記載の照明ランプ。
【請求項４】
前記反射面は、平面である請求項１から３のいずれか１項に記載の照明ランプ。
【請求項５】
前記反射面は、凸部を有する曲面である請求項１から３のいずれか１項に記載の照明ランプ。
【請求項６】
前記反射面は、凹部を有する曲面である請求項１から３のいずれか１項に記載の照明ランプ。
【請求項７】
前記目隠し板に覆われる前記回路部品は、外部電源から供給される電力から前記発光ダイオードを点灯させる所定の電力に変換する請求項１から６のいずれか１項に記載の照明ランプ。
【請求項８】
発光ダイオードと、
前記発光ダイオードを表面に配置し、前記発光ダイオードを点灯させるための回路部品を表面の端部に配置した基板と、
前記基板の表面を覆う長尺状の筒管と、
前記基板の端部に配置され前記回路部品を覆う傾斜面と、
を備え、
前記傾斜面は、前記基板の表面に対して傾斜しており、
前記筒管の管軸方向からみた前記傾斜面の形状がＤ字状の形状をしていることを特徴とする照明ランプ。
【請求項９】
発光ダイオードと、
前記発光ダイオードを表面に配置し、前記発光ダイオードを点灯させるための回路部品を表面の端部に配置した基板と、
前記基板の表面を覆う長尺状の筒管と、
前記筒管の長手方向における端部に配置され前記回路部品を覆う目隠し板と、
を備え、
前記目隠し板は、前記基板の表面に対して傾斜した傾斜面を有し、
前記筒管の管軸方向からみた前記傾斜面の形状がＤ字状の形状をしていることを特徴とする照明ランプ。
【請求項１０】
発光ダイオードと、
前記発光ダイオードを表面に配置し、前記発光ダイオードを点灯させるための回路部品を表面の端部に配置した基板と、
前記基板の表面を覆う長尺状の筒管と、
前記筒管の長手方向における端部に配置され前記回路部品を覆う目隠し板と、
を備え、
前記目隠し板は、前記基板の表面に対して傾斜した傾斜面を有し、
前記傾斜面の前記筒管の管軸に直交する平面による断面形状が、Ｕ字型、コ字型、Ｖ字型、Ｃ字型、Ｍ字型、Ｗ字型のいずれかの形状をしていることを特徴とする照明ランプ。
【請求項１１】
前記傾斜面は、前記発光ダイオードから発光した光を反射する反射面を有することを特徴とする請求項８又は９又は１０に記載の照明ランプ。
【発明の詳細な説明】
【技術分野】
【０００１】
この発明は、ＬＥＤランプなどの照明ランプに関する。
【背景技術】
【０００２】
直管形のＬＥＤランプの基板に回路が配置される場合、回路部品が透けて見えてしまうことが有る。ランプ管に目隠しをすると、ランプの明るさが低下してしまう。
また、回路部品を隠すために口金で覆うと、口金がランプ管の長手方向に長くなってしまう。
【先行技術文献】
【特許文献】
【０００３】
【特許文献１】特開２０１１−９６６１４号公報
【特許文献２】特開２０１０−１４０８４３号公報
【発明の概要】
【発明が解決しようとする課題】
【０００４】
本発明では、照明ランプの基板に回路が配置された場合、回路部品が透けて見えてしまうことを防止する照明ランプを提供することを目的とする。
【課題を解決するための手段】
【０００５】
この発明に係る照明ランプは、
発光ダイオードと、表面に前記発光ダイオードが取り付けられた基板と、表面に前記基板が設けられた長尺状の台座とを有する発光部と、
前記基板の表面を覆う長尺状の半透明の筒管と、
前記発光ダイオードを点灯させるための回路部品を覆って前記筒管の長手方向における端部に配置されるとともに前記筒管に覆われた目隠し板と、
前記筒管の長手方向における端部に設けられた口金と、
を備え、
前記目隠し板は、前記台座の表面に対して傾斜した反射面を有するとともに、
前記反射面の前記筒管の管軸方向からみた形状がＤ字状の形状をしており、
前記反射面は、前記発光部から発光した光を前記筒管の外側へ向けて発光させることを特徴とする。
【発明の効果】
【０００６】
この発明に係る照明ランプは、目隠し板を配置しているので、照明ランプの基板に回路が配置された場合、目隠し板の裏側に回路部品を隠すことができる。
【図面の簡単な説明】
【０００７】
【図１】実施の形態１の照明ランプ５０を示す図。
【図２】実施の形態１の照明ランプ５０の分解図。
【図３】実施の形態１の照明ランプ５０のＡＡ縦断面を示す図。
【図４】実施の形態１の照明ランプ５０のＺＺ縦断面を示す図。
【図５】実施の形態１の照明ランプ５０の分解図。
【図６】実施の形態１の照明ランプ５０のＡＡ縦断面を示す図。
【図７】実施の形態１の照明ランプ５０のＺＺ縦断面を示す図。
【図８】実施の形態２の照明ランプ５０を示す図。
【図９】実施の形態２の照明ランプ５０のＡＡ縦断面を示す図。
【図１０】実施の形態３の照明ランプ５０を示す図。
【図１１】実施の形態３の照明ランプ５０の概略を示す図。
【図１２】実施の形態４の照明ランプ５０のＺＺ縦断面を示す図。
【図１３】実施の形態４の照明ランプ５０のＺＺ縦断面を示す図。
【図１４】実施の形態４の照明ランプ５０の分解図。
【図１５】実施の形態４の目隠し板８０の斜視図。
【発明を実施するための形態】
【０００８】
実施の形態１．
図１は、実施の形態１の照明ランプ５０を示す図である。
照明ランプ５０は、筒状のガラス管５６を有している。ガラス管５６は、直管形ガラス管であり、筒管の一例である。
【０００９】
発光部６０は、発光ダイオード５１（ＬＥＤ５１）と基板５２とヒートシンク５４を有している。
発光部６０は、ガラス管５６に収納されて光を発光する。発光部６０は、ガラス管５６の長手方向に渡って延在している。
【００１０】
ＬＥＤ５１は、ＬＥＤ（発光ダイオード）単体又はＬＥＤモジュールからなる。
基板５２は、複数のＬＥＤ５１を均等に配置配列している。基板５２の一端（右端）には、回路７０がある。このため、基板５２の一端（右端）には、ＬＥＤ５１を配置できない。
回路７０は、電子部品からなる回路部品７１や回路部品７２を搭載している。回路７０の具体例は、ＬＥＤ５１に対して供給する直流の極性をなくす回路である。回路部品７１や回路部品７２の具体例は抵抗素子、半導体素子、コンデンサなどの電子回路部品である。
【００１１】
ヒートシンク５４は、アルミニウム製などの金属製であり、基板５２を取り付ける台座となりかつ放熱部材となる。
【００１２】
ガラス管５６の両端に一対の口金５５がある。
各口金５５は、一対の給電端子５８を備えている。給電端子５８の本数や形は、図に限らず他の本数でも他の形状でもよい。
【００１３】
１対の口金５５は、ガラス管５６の両端を覆うとともに、発光部６０のヒートシンク５４の両端に固定されている。
【００１４】
ガラス管５６の内面には、拡散膜（図示せず）が有り、拡散膜は、ＬＥＤ５１からの光を拡散する。拡散膜によりガラス管５６の外観は曇った状態又は半透明状態になるが、ガラス管５６の内部の部品や基板５２などが透けて見える場合が有る。特に、基板５２の上に搭載した電子部品は、ガラス管５６との距離が小さくなるので透けて見える場合が有る。
【００１５】
目隠し板８０は、最も右端のＬＥＤ５１と回路７０との間から口金５５に向かって斜めに取り付けられている。目隠し板８０は、回路７０を隠す平面板である。
目隠し板８０の発光面方向にある面（表面）は、反射面になっている。
目隠し板８０の基板側の面（裏面）は、回路部品７１、回路部品７２を覆っている。
【００１６】
基板５２と目隠し板８０と口金５５との略三角柱の領域に、回路部品７１、回路部品７２が配置されている。
回路部品７１、回路部品７２のうち背の高い回路部品７２のほうが口金５５の近くに配置される。
【００１７】
照明ランプ５０は、安定的に動作するために必要な制御装置が一体となっていない構造である。すなわち、照明ランプ５０は、外部にある電源からＬＥＤ５１を点灯する直流の定電流を給電端子５８と回路７０とを介して供給されて点灯する。
回路７０は、電力の供給を、給電端子５８から受けてもよいが、図示していないコネクタから受けてもよい。
【００１８】
照明ランプ５０は、長期使用の観点で、使用中に安全を損なうランプ内へのホコリの侵入ができない構造を備えている。すなわち、ガラス管５６と口金５５とは接着されており、発光部６０は、密封されている。
【００１９】
照明ランプ５０は、ガラス製外郭を有し外形が従来通りの直管形照明ランプである。また、照明ランプ５０は、機能を損なわずには恒久的に分解できない直管形ＬＥＤランプシステムである。
照明ランプ５０は、ガラス製外郭を有し、直管形照明ランプの外形を変形させていない。また、口金５５の形状も変形させていない。
【００２０】
図２は、実施の形態１の照明ランプ５０の分解図である。
目隠し板８０には、下糊代９７と上糊代９８とカバー部９９が有る。カバー部９９は、全体として、舌状の平面板であり傾斜面を提供する。カバー部９９は底辺８２と丸みを帯びた１対の弧状のサイド辺８１からなる。
【００２１】
目隠し板８０は、下糊代９７が底辺８２から下に突出している。
下糊代９７は、カバー部９９の底辺８２の下部にある。下糊代９７は、基板５２の幅と同じ幅を有し、折り曲げられて基板５２に接着される。その後、発光部６０がガラス管５６に挿入される。
【００２２】
上糊代９８は、カバー部９９の上部に突出している。上糊代９８は、下糊代９７の幅の５分の１の幅を有し、折り曲げられて口金５５又はガラス管５６に接着される。
【００２３】
図３は、実施の形態１の照明ランプ５０の発光部６０がガラス管５６に挿入されたＡＡ縦断面（管軸の直交する平面による断面）を示す一部省略図である。
カバー部９９の両サイドの弧状のサイド辺８１は、ガラス管５６の内面に（ほぼ）当接する。カバー部９９の底辺８２の長さは基板５２の幅よりは大きく、ガラス管５６の内面まで届くのがよいが、図のように多少の隙間があってもよい。
【００２４】
カバー部９９は、舌状であるが斜めに配置されることにより、図３に示すように、長手方向（管軸方向）からみると、ほぼ、弧状のサイド辺８１が管軸を中心とし円の円弧となったＤ字状になる。
【００２５】
図４は、実施の形態１の照明ランプ５０のＺＺ縦断面を示す図である。
下糊代９７は基板５２に接着されている。上糊代９８は、口金５５の凹部９４に上糊代９８と共に挿入され凹部９４にシリコーンで接着される。上糊代９８は、ガラス端面５７まで有ってもよいし、上糊代９８は、ガラス端面５７からガラス管５６の外面まであってもよい。
【００２６】
上糊代９８は、凹部９４内に存在しており、環状外壁部９３から露出することはない。
目隠し板８０は、回路部品７１と回路部品７２とを隠すとともに、リード線やネジや内端面９１も隠している。
例えば、目隠し板８０と基板５２と角度（傾斜角θ）は、右端部のＬＥＤ５１の配光角αに沿っている。
すなわち、
傾斜角θ＝９０度−（配光角α÷２）
である。
【００２７】
目隠し板８０は、口金５５から回路７０がある部分まで目隠しをするものである。
目隠し板８０は、ＬＥＤ５１の光を発光面方向に反射させ、あるいは、拡散させ、かつ、消灯時に部品が透けて見えるのを防止する。
極性をなくす回路などの回路７０が基板５２に実装することができ、回路７０を別基板で作成する場合に比べて、コスト低減が図れる。
【００２８】
また、口金５５の環状外壁部９３を内端面９１よりも回路７０が有る方向に突き出す必要がなく、口金５５をランプ管の長手方向に長くする必要がない。
さらに、回路７０があっても、目隠し板８０が反射板になっているので、回路７０の部分からも光が出るため、回路７０の部分が暗くなることがない。
目隠し板８０の表面の色を、基板の色と同じか同系色の色にすれば、目隠し板８０自身も外部から見えにくくなる。
【００２９】
なお、目隠し板８０は、鏡面仕上げの反射板でもよいが、光を拡散反射する拡散反射板でもよい。
【００３０】
＊＊＊目隠し板８０の変形例＊＊＊  
図５、図６、図７は、目隠し板８０の形状を変えたものである。
図５に示すように、目隠し板８０は、下糊代９７が底辺８２から下に突出ていない。目隠し板８０の底辺８２にはカバー部９９に向かって凹部が有り、目隠し板８０の下糊代９７がカバー部９９に食い込んでいる。
【００３１】
図６、図７に示すように、カバー部９９の両サイドの弧状のサイド辺８１が、ヒートシンク５４の基板取付面６９にまで達し、目隠し板８０の底辺８２は、ヒートシンク５４の基板取付面６９と接している。
その他は、図２、図３、図４と同じである。
【００３２】
実施の形態２．
図８は、実施の形態２の照明ランプ５０を示す図である。
図９は、実施の形態２の照明ランプ５０のＡＡ縦断面を示す図である。
【００３３】
図８のように、目隠し板８０が平面板ではなく、曲面を有していてもよい。たとえば、図８に示すように、目隠し板８０は、台形の平面板を湾曲させて製造する。
台形の平面板の両斜辺が底辺になり、長辺（下底）の両端が１対のサイド辺８１となる。底辺はコ字状又はＵ字状になり、１対のサイド辺８１はＵ字状に湾曲している。
その結果、図９に示すように、１対のサイド辺８１が平行又は略平行になる。１対のサイド辺８１の間隔は基板５２の幅以下であるので、底辺を基板５２に接着することができる。
【００３４】
あるいは、たとえば、台形ではなく三角形又は扇形の平面板を湾曲させてもよい。また、Ｕ字状ではなくＣ字状に湾曲させてもよい。
あるいは、たとえば、目隠し板８０は、円錐を、その回転軸を通る平面又は回転軸に平行な平面で切った形状でもよい。また、円錐ではなく、三角錐、四角錐、その他の多角錐を平面で切った形状でもよい。
【００３５】
この実施の形態の目隠し板８０は、曲面なので、回路部品７１，回路部品７２の側面も覆うことができる。
【００３６】
実施の形態３．
図１０は、実施の形態３の照明ランプ５０を示す図である。
図１０のように、目隠し板８０が平面板ではなく、発光面方向に対して凹面を提供する曲面を有していてもよい。たとえば、目隠し板８０は、平面板を一元方向に湾曲させたものである。
【００３７】
図１１の概念図に示すように、目隠し板８０の凹曲面は、目隠し板８０に最も近いＬＥＤ５１を焦点Ｆとする回転放物面の一部、又は、最も近いＬＥＤ５１を焦点Ｆとする回転楕円面の一部である。ＬＥＤ５１が焦点Ｆに有るので、目隠し板８０の反射光は発光面方向に平行な平行光となる。
【００３８】
実施の形態４．
図１２のように、目隠し板８０が途中で折れまがっていて、上糊代９８が内端面９１に接着されてもよい。
図１３のように、目隠し板８０がカーブしていて、上糊代９８が内端面９１に接着されてもよい。
【００３９】
図１２、図１３の場合は、目隠し板８０が発光面方向のガラス管５６の内面に接触しないので、目隠し板８０を見えにくくする効果が有る。
図１４のように、図８に示した目隠し板８０を上下反対にして、発光面方向に凹面が向くようにしてもよい。すなわち、目隠し板８０の形状は、管軸に直交する平面による断面が、発光面方向に対して凹となるＵ字型になる。
【００４０】
図１５の（Ａ）ように、目隠し板８０のカバー部９９の形状は、単純は平面板でもよい。
図１５の（Ｂ）ように、目隠し板８０のカバー部９９の形状は、断面がコ字の板でもよい。
図１５の（Ｃ）ように、目隠し板８０のカバー部９９の形状は、円錐の一部（凸部）でもよい。
図１５の（Ｄ）ように、目隠し板８０のカバー部９９の形状は、円錐の一部（凹部）でもよい。
【００４１】
目隠し板８０のカバー部９９の形状は、管軸に直交する平面による断面が、Ｕ字型、コ字型だけでなく、Ｖ字型、Ｃ字型、Ｍ字型、Ｗ字型などでもよい。
また、ガラス管５６は、ガラスではなくポリカーボネート樹脂でもよく、筒管であればよい。
ガラス管５６は、拡散膜がなく、ガラス管５６が透明であってもよい。
目隠し板８０の下糊代９７と上糊代９８とは両方なくてもよいし、上糊代９８はなくてもよいし、逆に、下糊代９７がなくてもよい。
目隠し板８０を片側だけに配置するだけでなく、両側に配置してもよい。
【００４２】
また、目隠し板８０は、口金５５までとどかなくてもよく、目隠し板８０の全体形状が、ドーム型、かまぼこ型、蓋型、鞍型、釣鐘型、ハット型、キャップ型、円柱型、円錐型等の形状であって、回路部品７１，回路部品７２を内部に隠してしまうものでもよい。
また、前述した実施の形態を組み合わせて用いてもかまわない。
【００４３】
以上のように、前述した実施の形態の照明ランプは、
ガラス管５６やポリカーボネート樹脂管などの筒管と、
筒管の両端に固定された口金５５と、
筒管に収納されて光を発光する発光部６０であって、筒管の長手方向に渡って延在する発光部６０と、
発光部６０の少なくとも一方の端部を覆う目隠し板８０と
を備えたことを特徴とする。
【００４４】
発光部６０は、
ＬＥＤ５１と、
ＬＥＤ５１を点灯する回路部品７１、回路部品７２と、
ＬＥＤ５１を取り付け、回路部品７１、回路部品７２を端部に搭載した基板５２と
を有し、
目隠し板８０は、基板５２の表面から口金５５に向かってかつ基板５２の表面から発光面方向に向かって斜めに傾斜したカバー部９９（傾斜面）を有することを特徴とする。
【００４５】
目隠し板８０のカバー部９９（傾斜面）は、ＬＥＤ５１の光を発光面方向に反射する反射面を有することを特徴とする。また、反射面は、拡散面で有ることを特徴とする。
【００４６】
目隠し板８０は、基板５２と口金５５との少なくともいずれかに接着剤で固定されたことを特徴とする。
【００４７】
目隠し板８０は、ＬＥＤ５１の配光角に沿って斜めに配置された平面板又は曲面板であることを特徴とする。
【００４８】
目隠し板は、最も近いＬＥＤ５１を焦点とする回転放物面の一部、又は、最も近いＬＥＤを焦点とする回転楕円面の一部を有することを特徴とする。
【符号の説明】
【００４９】
５０  照明ランプ、５１  ＬＥＤ、５２  基板、５４  ヒートシンク、５５  口金、５６  ガラス管、５７  ガラス端面、５８  給電端子、５９  シリコーン、６０  発光部、７０  回路、７１  回路部品、７２  回路部品、８０  目隠し板、８１  サイド辺、８２  底辺、９１  内端面、９３  環状外壁部、９４  凹部、９７  下糊代、９８  上糊代、９９  カバー部。
【図１】
0005946556.tif 000002
【図２】
0005946556.tif 000003
【図３】
0005946556.tif 000004
【図４】
0005946556.tif 000005
【図５】
0005946556.tif 000006
【図６】
0005946556.tif 000007
【図７】
0005946556.tif 000008
【図８】
0005946556.tif 000009
【図９】
0005946556.tif 000010
【図１０】
0005946556.tif 000011
【図１１】
0005946556.tif 000012
【図１２】
0005946556.tif 000013
【図１３】
0005946556.tif 000014
【図１４】
0005946556.tif 000015
【図１５】
0005946556.tif 000016